(57)【要約】【課題】別途集塵室体の着脱を検知する手段を設けることなく、集塵室体を外す時に除塵を禁止することが可能になるとともに、無駄な除塵動作を防ぎ、効率的に除塵を行うことができる電気掃除機の提供。【解決手段】吸引風を発する電動送風機を内蔵した本体と、前記本体に着脱自在に設けた集塵室体と、前記集塵室体内の塵埃を振動により除塵する除塵手段と、前記除塵手段を制御する除塵制御手段と、前記集塵室体の取り外しを防止する取り外し防止手段を有し、前記除塵制御手段は前記取り外し防止手段が解除されているときは前記除塵手段の動作を禁止するもので、別途集塵室体の着脱を検知する手段を設けることなく、集塵室体を外す時に除塵を禁止することが可能になるとともに、無駄な除塵動作を防ぎ、効率的に除塵を行うことができる。【選択図】図２
2010075740.tif 000002
【特許請求の範囲】
【請求項１】
吸引風を発する電動送風機を内蔵した本体と、前記本体に着脱自在に設けた集塵室体と、前記集塵室体内の塵埃を振動により除塵する除塵手段と、前記除塵手段を制御する除塵制御手段と、前記集塵室体の取り外しを防止する取り外し防止手段を有し、前記除塵制御手段は前記取り外し防止手段が解除されているときは前記除塵手段の動作を禁止する電気掃除機。
【請求項２】
除塵制御手段は、取り外し防止手段が集塵室体の取り外し防止を解除に切り替えてから第五の所定の時間経過後に除塵手段の動作を禁止する請求項１記載の電気掃除機。
【請求項３】
除塵制御手段は、除塵動作中に集塵室体の取り外し防止を解除したときには、除塵手段の振動の強さを通常動作時とは異なる強さに設定する請求項２記載の電気掃除機。
【請求項４】
除塵制御手段は、除塵動作中に集塵室体の取り外し防止を解除したときには、除塵手段の動作と停止を周期的に繰り返させる請求項２記載の電気掃除機。
【請求項５】
除塵制御手段は、取り外し防止手段が集塵室体の取り外し防止を設定してから第六の所定の時間は除塵手段の動作を禁止する請求項１〜４のいずれか１項に記載の電気掃除機。
【請求項６】
除塵制御手段は、取り外し防止手段が集塵室体の取り外し防止を設定してから第七の所定の時間は除塵手段を動作させる請求項１〜４のいずれか１項に記載の電気掃除機。
【請求項７】
除塵制御手段は、取り外し防止手段が集塵室体の取り外し防止を設定してから第八の所定の時間は、除塵手段の振動の強さを通常動作時とは異なる強さに設定する請求項６記載の電気掃除機。
【請求項８】
除塵制御手段は、取り外し防止手段が集塵室体の取り外し防止を設定してから第九の所定の時間は、除塵手段の動作を、動作と停止を周期的に繰り返させる請求項７記載の電気
掃除機。
【請求項９】
除塵制御手段が除塵手段を動作させていることを報知する除塵動作報知手段を有する請求項１〜８のいずれか１項に記載の電気掃除機。
【請求項１０】
除塵制御手段が除塵手段の動作を禁止されていないことを報知する除塵許可報知手段を有する請求項１〜９のいずれか１項に記載の電気掃除機。
【発明の詳細な説明】
【技術分野】
【０００１】
本発明は、紙パックレスの集塵室体を有する電気掃除機に関する。
【背景技術】
【０００２】
従来の電気掃除機としては、吸気経路に紙パックなどのフィルターを装着しているが、フィルターに塵埃等が付着し、目詰まりが発生して吸引力が低下するため、フィルターを除塵して吸引力を回復するものがある（例えば、特許文献１参照）。
【先行技術文献】
【特許文献】
【０００３】
【特許文献１】特開平５−９１９６２号公報
【発明の概要】
【発明が解決しようとする課題】
【０００４】
しかしながら従来の発明においては、紙パックを装着して使用されることを主眼としており、紙パックレスの電気掃除機においては、有効な除塵が行われない場合があった。
【０００５】
本発明は、上記従来の課題を解決するもので、紙パックレスの電気掃除機において、除塵が効果的である場合に除塵を行い、効率よく除塵を行う電気掃除機を提供することを目的とする。
【課題を解決するための手段】
【０００６】
本発明は上記課題を解決するために、吸引風を発する電動送風機を内蔵した本体と、本体に着脱自在に設けた集塵室体と、集塵室体内の塵埃を振動により除塵する除塵手段と、除塵手段を制御する除塵制御手段と、集塵室体の取り外しを防止する取り外し防止手段を有し、除塵制御手段は取り外し防止手段が解除されているときは除塵手段の動作を禁止する構成としてある。
【０００７】
これによって本発明では、別途集塵室体の着脱を検知する手段を設けることなく、集塵室体を外す時に除塵を禁止することが可能になるとともに、無駄な除塵動作を防ぎ、効率的に除塵を行うことができる。
【発明の効果】
【０００８】
本発明は別途集塵室体の着脱を検知する手段を設けることなく、集塵室体を外す時に除塵を禁止することが可能になるとともに、無駄な除塵動作を防ぎ、効率的に除塵を行うことができる電気掃除機を提供することができる。
【図面の簡単な説明】
【０００９】
【図１】本発明の実施の形態１における電気掃除機の外観図
【図２】同電気掃除機の本体構成を示す断面図
【図３】（ａ）、（ｂ）同集塵室体内の塵埃の状態を示す説明図
【図４】同電気掃除機の表示パネルの正面図
【図５】同電気掃除機の制御ブロック図
【図６】同電気掃除機の制御の動作を説明するタイムテーブル図
【図７】同電気掃除機の制御の動作を説明するタイムテーブル図
【図８】同電気掃除機の制御の動作を説明するタイムテーブル図
【図９】同電気掃除機の制御の動作を説明するタイムテーブル図
【発明を実施するための形態】
【００１０】
第１の発明は、吸引風を発する電動送風機を内蔵した本体と、前記本体に着脱自在に設けた集塵室体と、前記集塵室体内の塵埃を振動により除塵する除塵手段と、前記除塵手段を制御する除塵制御手段と、前記集塵室体の取り外しを防止する取り外し防止手段を有し、前記除塵制御手段は前記取り外し防止手段が解除されているときは前記除塵手段の動作を禁止する構成としてあり、別途集塵室体の着脱を検知する手段を設けることなく、集塵室体を外す時に除塵を禁止することが可能になるとともに、無駄な除塵動作を防ぎ、効率的に除塵を行うことができる。
【００１１】
第２の発明は、除塵制御手段は、取り外し防止手段が集塵室体の取り外し防止を解除してから第五の所定の時間経過後に除塵手段の動作を禁止する構成としてあり、集塵室体の掃除のために本体から集塵室体を取り外そうとするときに、取り外し防止手段を解除してから集塵室体を取り外す直前まで除塵動作を継続できるので、集塵室体を掃除するとき塵埃の除去が容易になる。
【００１２】
第３及び第４の発明は、除塵制御手段は、除塵動作中に集塵室体の取り外し防止を解除したときには、除塵手段の振動の強さを通常動作時とは異なる強さに設定、あるいは除塵手段の動作を、動作と停止を周期的に繰り返させる構成としてあり、除塵動作中に集塵室体を取り外そうとしたときに除塵中であることを音で使用者に知らせることができ、使用性を向上することができる。
【００１３】
第５の発明は、除塵制御手段は、取り外し防止手段が集塵室体の取り外し防止を設定してから第六の所定の時間は除塵手段の動作を禁止する構成としてあり、掃除直後のあまり塵埃を吸い込んでいない状態、すなわち除塵があまり有効でない状態では除塵動作の動作を禁止することで、効率よく除塵を行うことができる。
【００１４】
第６の発明は、除塵制御手段は、取り外し防止手段が集塵室体の取り外し防止を設定してから第七の所定の時間は除塵手段を動作させる構成としてあり、除塵が有効であることを使用者に知らせ、使用性を向上することができる。
【００１５】
第７及び第８の発明は、除塵制御手段は、取り外し防止手段が集塵室体の取り外し防止を設定してから第八の所定の時間は、除塵手段の振動の強さを通常動作時とは異なる強さに設定、あるいは除塵手段の動作を、動作と停止を周期的に繰り返させる構成としてあり、通常の除塵と区別して除塵が有効であることを音の違いによってより分かりやすくすることができる。
【００１６】
第９の発明は、除塵制御手段が除塵手段を動作させていることを報知する除塵動作報知手段を有する構成としてあり、除塵手段の動作を確認することができ、使用性を向上することができる。
【００１７】
第１０の発明は、除塵制御手段が除塵手段の動作を禁止されていないことを報知する除塵許可報知手段を有する構成としてあり、使用者が除塵が有効であるタイミングを知ることができ、使用性を向上することができる。
【００１８】
以下、本発明の実施の形態について、図面を参照しながら説明する。なお、この実施の形態によって本発明が限定されるものでは無い。
【００１９】
（実施の形態１）
図１は本発明の実施の形態１における電気掃除機の構成図を示す。図１において、先端
に吸込具３を着脱可能に装着した延長管２は手元ハンドル４に連結され、手元ハンドル４から延出するホース５は本体１に着脱自在に接続され、本体１は塵埃を蓄積し、本体１から着脱可能な集塵室体１１を有している。
【００２０】
図２に上記本体１の断面図を示す。本体１には塵埃を吸引するための吸引風を発生する電動送風機１２を内蔵しており、電動送風機１２の吸気口へは、集塵室体１１のフィルター１８と連通口１９を通じて吸引風が流入する。
【００２１】
集塵室体１１が勝手に外れるのを防ぐために、本体１は、スライド式のロックから成る取り外し防止手段３４を備え、この取り外し防止手段３４を本体前方（集塵室体１１側）に移動させること（以降、この操作を設定と呼ぶ）で集塵室体１１が本体１から外れるのを防止し、また、本体後方に移動させること（以降、この操作を解除と呼ぶ）で集塵室体１１を本体１から取り外す、あるいは装着することが可能となる。また、取り外し防止手段３４は集塵室体１１が正しく装着されていない場合には設定できない構造であり、設定と同時に使用者が集塵室体１１が正しく装着されているかどうかの確認も行うことができる。
【００２２】
また、本体１は集塵室体１１が装着されているかどうかを検知するために、スイッチから成る着脱検知手段３５を備え、集塵室体１１が本体１に装着されるとスイッチが押され、集塵室体１１が本体１に装着されたと検知する。
【００２３】
フィルター１８近傍には、除塵手段３１である振動装置を備え、この除塵手段３１は集塵室体１１を振動させる振動子１３と、振動子１３を動作させる電磁石１７で構成される。電磁石１７はコイル１５とコア１６とで形成され、振動子１３に近接して配設され、磁界によって振動子１３を振動させるようになっている。除塵制御手段３２は、電磁石１７に流れる電流を制御する制御回路（図示せず）と表示パネル２０上に設置された除塵スイッチ２１（図４参照）で構成される。除塵手段３１が停止しているときにこの除塵スイッチ２１が操作されると、除塵制御手段３２の制御回路はコイル１５に電源の交流電圧をダイオードなどの整流手段（図示せず）で半波整流した電圧を加える。印加された電圧は半波整流された電圧であるのでコイル１５に流れる電流は断続的なものとなり、電磁石１７から発生される磁界も断続的なものとなる。これにより、電磁石１７は振動子１３の吸引・開離を繰返し、振動子１３に振動を与え、振動子１３は集塵室体１１のフィルター１８を叩いて集塵室体１１およびフィルター１８を振動させ、それらに付着している塵埃を除塵する。除塵動作中に除塵スイッチ２１が操作されたときは、制御回路はコイル１５への電源の供給を止め、振動子１３の振動は停止する。本実施例では、吸気経路の途中にあるフィルター１８を直接叩くことで、風量低下の原因になるフィルター１８に付着した塵埃の除塵を重点的に行うことができる。
【００２４】
図４は図２の表示パネル２０の正面図であり、除塵スイッチ２１とＬＥＤから成る除塵動作報知手段３３と除塵許可報知手段３６が設置されている。
【００２５】
図５は電気掃除機の制御ブロック図を示す。図５において、３１が除塵動作を行う除塵手段、３２が除塵手段３１を制御する除塵制御手段であり、３３は除塵の停止を報知する除塵動作報知手段、３４は集塵室体１１の取り外しを防止する取り外し防止手段であり、３５は集塵室体１１の着脱を検知する着脱検知手段、３６は除塵制御手段が除塵手段３１の動作を禁止していないことを報知する除塵許可報知手段である。
【００２６】
以上のように構成された電気掃除機においてその動作を説明する。
【００２７】
電動送風機１２が動作して吸引力が発生すると、塵埃が吸引風と共に吸引具３から集塵
室体１１に吸引される。集塵室体１１はフィルター１８を有しており、塵埃はフィルター１８によって濾過され、塵埃を取り除いた吸引風のみが、連通口１９を経由して電動送風機１２に吸引され、集塵室体１１に塵埃が蓄積される。この時、吸引風は必ずフィルター１８の連通口１９付近を通過するため、この近辺に最も塵埃が付着しやすくなる。図３の（ａ）のように、この近辺に塵埃が付着すると、集塵室体１１にあまり塵埃が蓄積していなくても、フィルター１８に付着した塵埃が吸引風の通過の妨げになることで、吸引力が低下し、掃除の効率が悪化する。
【００２８】
そこで、使用者が除塵スイッチ２１を操作し、振動子１３で集塵室体１１のフィルター１８に振動を与え、フィルター１８の連通口１９付近に付着した塵埃をはたき落とすことにより、吸引風量を復活させ、掃除の効率を維持することができる（図３の（ｂ）参照）。また、除塵動作中に使用者が再度除塵スイッチ２１を操作することで、任意のタイミングで除塵手段３１を停止させることができる。
【００２９】
以下の例に示すように、使用者が除塵スイッチ２１を操作することなく、除塵制御手段３２が除塵手段３１を動作および停止させる場合があり、その場合には使用者が除塵動作に気付かない時がある。そこで、除塵動作報知手段３３のＬＥＤを点灯および消灯させることで除塵動作中であるかどうかを使用者が知ることができ、使用性と向上することができる。また、除塵動作が禁止されているときは、除塵スイッチ２１を操作しても除塵手段３１は動作しない。そこで、除塵手段３１の動作が禁止されていない時に、除塵許可報知手段３６のＬＥＤを点灯させることで、使用者に除塵が可能なタイミングを知らせ、使用性を向上することができる。
【００３０】
除塵手段３１の振動によって除塵を行う場合、集塵室体１１が本体１に装着されていない場合など、使用者が除塵スイッチ２１を操作して除塵を行っても除塵が有効でないときがある。そこで、着脱検知手段３５が集塵室体１１の外れを検知しているときは、除塵手段３１の動作を禁止することで、無駄な除塵動作を防ぎ、効率的に除塵を行うことができる。
【００３１】
上記例について、図６のタイムテーブルを用いて説明する。集塵室体１１が本体１に装着されている時に除塵スイッチ２１を操作すると、（ａ）除塵制御手段３２は除塵手段３１を動作させ、除塵動作報知手段３３のＬＥＤを点灯させる。除塵手段３１の動作中に再度除塵スイッチ２１を操作すると、（ｂ）除塵制御手段３２は除塵手段３１を停止させ、除塵動作報知手段３３のＬＥＤを消灯させる。ここで再度除塵スイッチ２１を操作すると、（ｃ）除塵制御手段３２は再び除塵手段３１は動作させ、除塵動作報知手段３３のＬＥＤも点灯させる。ここで、集塵室体１１が本体１から取り外されると、（ｄ）除塵制御手段３２は除塵手段３１の動作を禁止し、除塵許可報知手段３６のＬＥＤを消灯させる。このとき、除塵手段３１が動作しているときはその動作を停止させる。集塵室体１１が本体１に装着されていない間は、除塵スイッチ２１を操作しても、（ｅ）除塵制御手段３２は除塵手段３１を動作させない。そして、集塵室体１１が本体１に装着されると、（ｆ）除塵制御手段３２は除塵手段３１の動作禁止を解除し、除塵許可報知手段３６のＬＥＤを点灯させる。この時点では、除塵手段３１は停止しているので、再度除塵スイッチ２１を操作させることで、（ｇ）除塵制御手段３２は再び除塵手段３１を動作させる。以上の動作を行うことで、無駄な除塵動作を防ぎ、効率的に除塵を行うことができる。
【００３２】
また、掃除によって集塵室体１１が塵埃で満杯になり、使用者が塵埃を捨てるために集塵室体１１を本体１から取り出し、集塵室体１１とフィルター１８の掃除を行った直後は、フィルター１８にあまり塵埃が付着しておらず、この状態で集塵室体１１を本体１に装着した直後に除塵を行ってもあまり除塵の効果が得られない。そこで除塵制御手段３２は、着脱検知手段３５が本体１への集塵室体１１の装着を検知してから第一の所定の時間（
例えば１０分間）は除塵手段３１の動作を禁止する構成としてあり、集塵室体１１およびフィルター１８の掃除直後の、あまり塵埃を吸い込んでいない状態での除塵動作を禁止し、効率よく除塵を行うことができる。
【００３３】
上記例について、図７のタイムテーブルを用いて説明する。除塵制御手段３２はその内部にタイマーを備え、集塵室体１１が本体１に装着されてからの時間を計測する。集塵室体１１が本体１に装着されると、（ａ）除塵制御手段３２は着脱検知手段３５からの信号を検知して、タイマーの時間計測を開始する。除塵制御手段３２はタイマーの計測時間が１０分になるまでは除塵手段３１の動作を禁止し、除塵許可報知手段３６のＬＥＤを消灯させる。このときに除塵スイッチ２１を操作しても、（ｂ）除塵制御手段３２は除塵手段３１を動作させない。タイマーの計測時間が１０分になると、（ｃ）除塵制御手段３２は除塵手段３１の動作の禁止を解除し、除塵許可報知手段３６のＬＥＤを点灯させる。この時点では、除塵手段３１は停止しているので、再度除塵スイッチ２１を操作させることで、（ｇ）除塵制御手段３２は再び除塵手段３１を動作させる。以上の動作を行うことで、フィルター１８の掃除直後の、あまり塵埃を吸い込んでおらず、除塵の効率が良くない状態での除塵動作を禁止し、効率よく除塵を行うことができる。また、除塵手段３１の動作を禁止する時間については、タイマーの時間計測を運転中のみ行うことで掃除機の実使用時間に沿った時間計測を行ったり、タイマーを用いた時間計測だけではなく、電動送風機１２を動作させるまでは停止させる等、掃除機の使用状況に応じて除塵手段３１を停止させる期間を変化させることが可能で、より実際の使用状況に応じた効率よい除塵を行うことができる。
【００３４】
また逆に、集塵室体１１を本体１に装着したときに第二の所定の時間（例えば５秒間）除塵手段３１を動作させることで、除塵が有効であることを使用者に知らせ、使用性を向上することができる。この場合には、除塵手段３１を動作させる目的が異なるので、通常の除塵動作とは異なる動作、例えば除塵手段３１への供給電力を上げて、除塵手段３１の振動を通常より強くしたり、除塵手段３１を周期的に（例えば０．５秒毎に）ＯＮ−ＯＦＦさせることで、除塵手段３１の振動音を通常とは異なる音にし、除塵が有効であることを使用者に明確に知らせることができる。
【００３５】
上記例について、図８のタイムテーブルを用いて説明する。除塵制御手段３２は前記の例と同様にタイマーを備え、集塵室体１１が本体１に装着されてからの時間を計測する。集塵室体１１が本体１に装着されると、（ａ）タイマーは時間計測を開始し、除塵制御手段３２は除塵手段３１への供給電力を通常よりも多くし、除塵手段３１の振動を通常より強くする。タイマーの計測時間が５秒になると、（ｂ）除塵制御手段３２は除塵手段３１の動作を停止させる。以上の動作を行うことで、除塵が有効であることを使用者に明確に知らせることができる。
【００３６】
以上の説明では、着脱検知手段３５を用いて集塵室体の着脱を検知する場合についての例を述べたが、この場合、新たに集塵室体１１の着脱を検知するためのスイッチ等の装置を設ける必要がある。そこで、一般的に集塵室体１１が着脱可能なタイプの掃除機には、取り外し防止手段３４が存在し、集塵室体１１を本体１から取り外す場合、取り外し防止手段３４を解除する必要があることを利用して、取り外し防止手段３４を着脱検知手段３５の替わりに用いることができる。この場合、集塵室体１１の着脱の瞬間を正確には検知できないが、新たに集塵室体の着脱を検知するための装置を設けることなく、集塵室体の着脱を検知することができる。この場合、集塵室体１１の装着検知の替わりに取り外し防止手段３４の設定、解除でそれぞれ検知を行うことができ、上記で説明した除塵動作を行うことで、同様の効果を得ることができる。
【００３７】
さらにこの場合には、取り外し防止手段３４を解除したときでも、集塵室体１１がまだ
本体１に装着されている時間が存在する。この場合、除塵動作中に取り外し防止手段３４が解除されたときなど、除塵が必要なときには、５秒間除塵手段３１の振動を通常より強くしたり、除塵手段３１を０．５秒毎にＯＮ−ＯＦＦさせることで、除塵がまだ必要であることを使用者に知らせ、使用性を向上することができる。
【００３８】
上記例について、図９のタイムテーブルを用いて説明する。除塵制御手段３２は前記の例と同様にタイマーを備え、取り外し防止手段３４が解除されてからの時間を計測する。除塵スイッチ２１の操作により、（ａ）除塵手段３１が動作しているときに、取り外し防止手段３４が解除されると、（ｂ）タイマーは時間計測を開始し、除塵制御手段３２は除塵手段３１への供給電力を通常よりも多くし、除塵手段３１の振動を通常より強くする。タイマーの計測時間が５秒になると、（ｃ）除塵制御手段３２は除塵手段３１の動作を停止させる。以上の動作を行うことで、除塵がまだ必要であることを使用者に知らせ、使用性を向上することができる。
【産業上の利用可能性】
【００３９】
以上のように、本発明にかかる電気掃除機は、効率よく集塵室体内の除塵を行うことができ、より多くの塵埃を吸い込むことができる電気掃除機の提供が可能となる。
【符号の説明】
【００４０】
１  本体
２  延長管
３  吸込具
４  手元ハンドル
５  ホース
１１  集塵室体
１２  電動送風機
１３  振動子
１４  制御回路
１５  コイル
１６  コア
１７  電磁石
１８  フィルター
１９  連通口
２０  表示パネル
２１  除塵スイッチ
３１  除塵手段
３２  除塵制御手段
３３  除塵動作報知手段
３４  取り外し防止手段
３５  着脱検知手段
３６  除塵許可報知手段
【図１】
2010075740.tif 000003
【図２】
2010075740.tif 000004
【図３】
2010075740.tif 000005
【図４】
2010075740.tif 000006
【図５】
2010075740.tif 000007
【図６】
2010075740.tif 000008
【図７】
2010075740.tif 000009
【図８】
2010075740.tif 000010
【図９】
2010075740.tif 000011